(57)【特許請求の範囲】
【請求項１】
人体の胸部と腹部の前面を覆う前面保護部（１ａ）を有すると共に鎖骨部近傍を保護する舌片部（１ｂ）（１ｂ）を上方突出状に有するプロテクター本体（１）と、該プロテクター本体（１）に下辺（２ｃ）を揺動自在に取着され人体の鎖骨部近傍を上記舌片部（１ｂ）と共に二重構造として保護する保護片（２）と、を備えたことを特徴とするプロテクター。
【請求項２】
上記プロテクター本体（１）に人体に装着させるベルト（５）を取着し、上記保護片（２）の裏面（２ｆ）の先端に上記ベルト（５）が挿通される係止帯体（20）を設けた請求項１記載のプロテクター。
【請求項３】
上記保護片（２）の側方に、カップ状の肩パット部材（３）を揺動自在に取着した請求項１又は２記載のプロテクター。
【発明の詳細な説明】
【技術分野】
【０００１】
本発明は、プロテクターに関する。
【背景技術】
【０００２】
従来、野球やソフトボール等の球技で、捕手や審判が使用するプロテクターは、特許文献１記載のように、一枚板状のプロテクター本体を身体の前面を広く覆うように装着するものが知られている。
【特許文献１】登録実用新案第３０７０２４０号公報
【発明の開示】
【発明が解決しようとする課題】
【０００３】
ところが、捕球や送球といった運動の際に、プロテクターが保護すべき最適な位置からズレてしまうといった問題があった。また、位置ズレ防止のため装着力を強くすると使用者の肩部や腕がプロテクターに干渉し、抵抗を受けてプレーに支障がでるという問題があった。また、干渉を防止するために保護面を小さく（狭く）すると、十分に身体を保護できないという問題があった。
【０００４】
本発明は、装着後の運動による接触抵抗及び違和感を軽減すると共に、適切な装着位置からズレることなく、人体を確実に保護することができるプロテクターの提供を目的とする。
【課題を解決するための手段】
【０００５】
そこで本発明のプロテクターは、人体の胸部と腹部の前面を覆う前面保護部を有すると共に鎖骨部近傍を保護する舌片部を上方突出状に有するプロテクター本体と、該プロテクター本体に下辺を揺動自在に取着され人体の鎖骨部近傍を上記舌片部と共に二重構造として保護する保護片と、を備えたものである。
【０００６】
また、上記プロテクター本体に人体に装着させるベルトを取着し、上記保護片の裏面の先端に上記ベルトが挿通される係止帯体を設けたものである。
【０００７】
また、上記保護片の側方に、カップ状の肩パット部材を揺動自在に取着したものである。
【発明の効果】
【０００８】
本発明のプロテクターによれば、使用者が肩部を激しく動かしても、確実に人体（使用者の身体）の鎖骨部近傍を二重構造により保護できる。競技中であっても、安定して装着されると共に、肩部を違和感なくスムーズに動かすことができる。
【発明を実施するための最良の形態】
【０００９】
以下、実施の形態を示す図面に基づき本発明を詳説する。
図１は本発明のプロテクターの第１の実施の形態を示す正面図であり、図２はその背面図であり、図３は図１のＺ−Ｚ断面拡大図である。
図１と図２及び図３において、本発明の第１の実施の形態のプロテクターは、野球やソフトボール等の球技で捕手や審判等をおこなう使用者（人体）を、球や接触プレー等から保護するものであって、人体（使用者）の腹部と胸部及び鎖骨近傍を保護するように覆うプロテクター本体１（以下、本体１ともいう）と、その本体１に鎖骨部近傍を保護するように揺動自在に取着される保護片２と、保護片２の側方に肩部を保護するように揺動自在に取着されるカップ状の肩パット部材３と、本体１に縫着され装着の際に人体の首元への圧迫を緩和させる柔軟部材４と、本体１を人体に装着させる弾性の背部用のベルト５と、人体の腰部に本体１を巻設する腰ベルト６と、を備えている。
【００１０】
プロテクター本体１（本体１）は、人体に装着した状態（使用状態）で、人体の腹部と胸部を保護するように覆う前面保護部１ａと、人体の鎖骨部近傍を保護するように覆う上方突出状に形成された左右一対の舌片部１ｂ，１ｂと、を有している。
【００１１】
各舌片部１ｂの前面１ｅ側には、舌片部１ｂを覆う幅広の保護片２が縫着されている。また、各舌片部１ｂの前面１ｅ側の先端には、樹脂製の肩用バックル部材21を介して、Ｙ字状のベルト５の先端５ａが長さ調整自在に取着されている。
【００１２】
本体１は、装着状態で人体の首元及び襟元への圧迫を緩和させる柔軟部材４を、前面１ｅ側から後面１ｆ側に渡って折り返して縫着している。また、装着状態で人体の腰部に巻き付く腰ベルト６が本体１の下部の左右外方側に、着脱自在な雌雄バックル部材24を介して、取着されている。雌雄バックル部材24は、雄部と雌部を有し、雄部と雌部で合体・分離可能なものである。
【００１３】
また、本体１は、一枚板状に縫製されている。内部に、衝撃を吸収・緩和可能な本体用緩衝部材１ｄを複数配設し、本体用緩衝部材１ｄの周囲を縫製している。本体１の前面１ｅ側は、本体用緩衝部材１ｄによって前方からの衝撃を吸収・緩和する複数の凸部が形成されている。また、本体１の後面１ｆ側は、本体用緩衝部材１ｄによって人体への圧迫を吸収緩和する複数の凸部が形成されている。つまり、本体１の前面１ｅ及び後面１ｆは、凹凸状に形成されている。
なお、前面１ｅとは、球や他の選手等の外部からの衝撃を受ける面である。後面１ｆとは、装着の際に、人体に接触乃至近接する側の面である。
【００１４】
次に、左右一対に設けられる保護片２は、左右一対の舌片部１ｂを各々覆うように本体１の前面１ｅ側に取着されている。保護片２は、下辺２ｃを、本体１の前面１ｅ側に縫着されている。保護片２は、左右内方側の内側辺２ｂを、本体１の舌片部１ｂの基部下方から前面保護部１ａの胸部近傍箇所で、縫着されている。言い換えると、保護片２の取着部50は、下辺２ｃ及び下辺２ｃ近傍の内側辺２ｂである。なお、取着部50は、太い一点鎖線で図示する。
【００１５】
保護片２の左右方向の横幅寸法Ｗ2 は、舌片部１ｂの左右幅寸法Ｗ1 よりも大きく形成されている。つまり、舌片部１ｂより幅を広く形成して覆っている。また、舌片部１ｂの先端よりも突設している。
【００１６】
保護片２の裏面２ｆの先端に、ベルト５の先端５ａが挿通する係止帯体20が縫着されている。係止帯体20の左右方向の係止挿通部幅Ｔは、ベルト５の左右方向の挿通部幅ｔの幅よりも大きく形成されている。つまり、係止帯体20は、保護片２が取着部50を支点として左右方向に揺動した際に、ベルト５によって左右方向の揺動を規制しないように設けられている。
【００１７】
また、保護片２は、一枚板片状に縫製されている。内部に、衝撃を吸収・緩和可能な保護片用緩衝部材２ｄを複数配設し、保護片用用緩衝部材２ｄの周囲を縫製している。表面２ｅ側は、保護片用緩衝部材２ｄによって前方からの衝撃を吸収・緩和する複数の凸部が形成されている。また、裏面２ｆ側は、保護片用緩衝部材２ｄによって人体への圧迫を吸収緩和する複数の凸部が形成されている。つまり、保護片２の表面２ｅ及び裏面２ｆは、凹凸状に形成されている。
なお、表面２ｅとは、球や他の選手等からの衝撃を受ける面である。裏面２ｆとは、装着状態で、人体へ接触乃至近接する側の面である。
【００１８】
また、保護片２の側方にカップ状の肩パット部材３，３を取着している。言い換えると左右外方側の外側辺２ａかつ、表面２ｅ側に、カップ状の肩パット部材３，３を縫着している。
【００１９】
肩パット部材３は、人体に接近する側を凹状に形成し、外部からの接触側を凸球状に形成したカップ状である。装着状態で、人体の肩部近傍となる保護片２の側方（外側辺２ａ）に蝶番状に揺動自在に取着されている。つまり、左右一対の肩パット部材３は、装着状態で羽ばたく羽根のように揺動自在に取着されている。また、保護片２の表面２ｅ側に取付られている。肩パット部材３の取付部51は、保護片２の表面２ｅ側の外側辺２ａである。なお、取付部51は、太い一点鎖線で図示する。
また、装着状態で、人体の肩部近傍との間に空間を形成するように取着されている。つまり、本体１の厚みと保護片２の厚みによって、装着の際に人体の肩部との間に空間が形成され、肩部に密着しないように設けられている。
【００２０】
ベルト５は、伸縮自在なゴム等の弾性帯体から成るものである。また、Ｙ字状に形成され、Ｙ字の二股の先端５ａ，５ａは、各々が保護片２，２の係止帯体20，20を挿通し、肩用バックル部材21，21を介して舌片部１ｂ，１ｂの先端に長さ調節可能に取着されている。また、ベルト５の基端５ｂは、ベルト５の長さを調節可能な背部用バックル部材22を介して一枚板状の連結片７に取着されている。連結片７には、腰ベルト６が左右方向に挿通され取着されている。
【００２１】
腰ベルト６は、伸縮自在なゴム等の弾性部材から成るものである。また、左右両側を、着脱自在な雌雄バックル部材24，24を介して本体１に取着されている。つまり、腰ベルト６は、左右両側を本体１から着脱自在に取着されている。また、腰ベルト６の長さを調節可能な腰用バックル部材23が取着されている。
【００２２】
上述した本発明のプロテクターの第１の実施の形態の使用方法（作用）について説明する。
使用者は、腰ベルト６の雌雄バックル部材24を雄部と雌部で離脱させる。本体１から腰ベルト６の両側は取り外される。Ｙ字状の二股部に頭部を通し、雌雄バックル部材24の雄部と雌部を再び合体させる。本発明の第１の実施の形態のプロテクターは人体（使用者）に仮装着される。
【００２３】
仮装着状態で、肩用バックル部材21及び背部用バックル部材22でベルト５の長さが調節される。また、腰用バックル部材23で腰ベルト６の長さが調節される。
すると、本体１の前面保護部１ａが人体の胸部と腹部を覆うように保護すると共に、人体に密着する。本体１の左右一対の舌片部１ｂ，１ｂは、人体の左右の鎖骨部近傍を保護する。第１の実施の形態のプロテクターは適切な（所定位置の）装着状態となる。
【００２４】
仮装着状態から装着状態にする際に、本体１の舌片部１ｂを人体の鎖骨部近傍に密着して保護するようにベルト５を調節すると、保護片２の先端は、ベルト５によって肩部近傍の背部に引き寄せられる。
【００２５】
図４に装着状態を説明する要部断面側面図を示す。
装着状態で、本体１は、人体に密着し、前面保護部１ａは胸部及び腹部を確実に保護する。また、舌片部１ｂは、鎖骨部近傍を保護する。
【００２６】
装着状態で、保護片２は、舌片部１ｂと共に二重構造として鎖骨部近傍を保護する。また、舌片部１ｂよりも広く鎖骨部近傍や肩部の上部（首元の左右両側）を保護する。
舌片部１ｂよりも広く人体を覆うことで、肩部との間には、本体１の厚みによる空間部が、使用者の首元や襟元及び肩部近傍に形成される。保護片２は、空間部により使用者に圧迫感（装着感）を感じさせずに人体（鎖骨部近傍及び肩部近傍）を保護する。また、保護片２は、ベルト５による左右方向の規制を受けず、本体１との取着部50を支点として揺動自在に装着（配設）される。また、保護片２の先端が人体の肩部の上部を通過して背部に回り込むようなフック状となって、人体の肩部に係止可能に配設される。つまり、保護片２は、本体１が下方に滑り落ちるような位置ズレを防止する。
【００２７】
装着状態で、肩パット部材３は、本体１の厚みと保護片２の厚みによって、人体の肩部との間に空間が形成される。肩パット部材３は装着状態で人体に密着しない。つまり、空間部により使用者に圧迫感（装着感）を感じさせずに人体（肩部近傍）を保護する。さらに、（肩パット部材３と保護片２との）取付部51及び（保護片２との本体１との）取着部50を支点として揺動自在に装着される。
【００２８】
使用者が、肩部を回すような運動（投球や判定のジェスチャー等）をした際に、保護片２と人体との空間部によって、肩や腕等が保護片２に接触するのを軽減し、動作の邪魔になるのを防ぐ。また、人体が保護片２に接触しても、保護片２は動作に沿うように揺動し、使用者が違和感（接触抵抗）を感じるのを軽減する。
【００２９】
また、肩用バックル部材21を本体１と保護片２の間に配設しているので、他の選手との接触プレー（クロスプレー）の際に、肩用バックル部材21が、装着者（使用者）及び接触者（他の選手）に接触するのを防止する。
【００３０】
次に、本発明のプロテクターの第２の実施の形態について説明する。
図５は、第２の実施の形態の要部拡大正面図である。
第２の実施の形態は、第１の実施の形態と同様の本体１を備えている。装着状態で人体（使用者）の肩甲骨部近傍まで保護可能な先端延設部２Ａと、脇下及び脇腹部近傍まで保護可能な側方膨出部２Ｂと、を有する保護片２を備えている。保護片２には、第１の実施の形態と同様に、肩パット部材３が側方に取着されると共に先端に係止帯体20が設けられている。
【００３１】
第２の実施の形態のプロテクターの使用方法（作用）について説明する。
装着状態で、保護片２は、本体１の舌片部１ｂと共に二重構造として鎖骨部近傍を保護する。さらに、先端延設部２Ａは、人体（使用者）の背部や肩甲骨近傍を保護する。また、側方膨出部２Ｂによって、人体の上半身側面部（脇下部や脇腹部近傍）を保護する。運動の際に、第１の実施の形態と同様に保護片２は揺動し、本体１が人体を保護すべき位置からズレるのを防止すると共に、使用者との接触抵抗を軽減する。先端延設部２Ａは、肩掛け状となって、本体１が滑り落ちるような下方への位置ズレをより防止する。
【００３２】
次に、本発明のプロテクターの別の実施の形態について説明する。
図６は、本発明の別の実施の形態を説明する要部拡大正面図である。また、図７は、その要部断面側面図である。
本体１の舌片部１ｂの後面１ｆ側に、舌片部１ｂよりも小さな保護片２を配設し、保護片２の下辺２ｃを取着している。また、保護片２の下辺２ｃ近傍の内側辺２ｂを取着している。保護片２は、取着部50を支点として本体１の後面１ｆ側に揺動自在に取着されている。また、保護片２の表面２ｅ側の先端に、肩用バックル部材21を介してベルト５の先端５ａが取着されている。また、本体１の舌片部１ｂの先端の後面１ｆ側に、係止帯体20を取着している。
【００３３】
別の実施の形態の作用（使用方法）について説明する。
保護片２は、装着状態で、人体の鎖骨部近傍を本体１と共に二重構造として保護する。保護片２は、人体に密着する。使用者が肩部等を動かすと、保護片２が揺動する。保護片２が揺動することで、人体から本体１へ位置ズレを起こすような力が伝達するのを減衰させる。また、保護片２の厚みによって、本体１の舌片部１ｂと人体との間に空間が形成され、人体の肩部や腕部が接触するのを軽減し、本体１の位置ズレを防止する。また、空間によって、肩部や腕部を動かした際に、本体１に干渉するように接触するのを軽減して、使用者が動作に違和感を感じるのを軽減する（接触抵抗を軽減する）。
【００３４】
なお、本発明は、設計変更可能であって、例えば、保護片２を本体１に取着する際に、縫着に限らず、金属製のハトメ部材等の固着部材を用いて取着しても良い。また、保護片２に肩パット部材３を取着する際に、縫着に限らず、金属製のハトメ部材等の固着部材を用いて取着しても良い。
また、本体１の舌片部１ｂに、保護片２を取着する際、内側辺２ｂの取着部50を、下辺２ｃ近傍から装着の際に首元の左右両側となる箇所まで延長しても良い。また、本体用緩衝部材１ｄ及び保護片用緩衝部材２ｄの形状や配列は自由である。
【００３５】
以上のように、本発明は、人体の胸部と腹部の前面を覆う前面保護部１ａを有すると共に鎖骨部近傍を保護する舌片部１ｂ，１ｂを上方突出状に有するプロテクター本体１と、プロテクター本体１に下辺２ｃを揺動自在に取着され人体の鎖骨部近傍を上記舌片部１ａと共に二重構造として保護する保護片２と、を備えているので、人体の肩部及び鎖骨部近傍を二重に保護できる。また、プレーの際に保護片２が人体に接触しても揺動して動作の抵抗を軽減できる。つまり、使用者の違和感や接触抵抗を軽減できると共に、本体１が適切な位置からズレるのを防止できる。運動の際に接触する虞の高い肩部近傍に空間部を形成して、肩部近傍を保護できると共に動作による干渉を軽減し本体１の位置ズレを防止できる。
【００３６】
また、プロテクター本体１に人体に装着させるベルト５を取着し、保護片２の裏面２ｆの先端にベルト５が挿通される係止帯体20を設けたので、保護片２を肩掛け状に装着できる。つまり、本体１が垂れ下がるのを防止できる。保護片２を揺動自在としながらも所定の位置に装着（配置）できる。
【００３７】
また、保護片２の側方に、カップ状の肩パット部材３を揺動自在に取着したので、（肩パット部材３と保護片２との）取付部51及び（保護片２と本体１との）取着部50が肩パット部材３の揺動支点となって、肩や腕の動きに沿うように自由に揺動してプレーを妨げるような接触抵抗を軽減できる。肩パット部材３への干渉による本体１の位置ズレを軽減できる。装着状態で、肩パット部材３と人体（肩部近傍）との間に空間を形成できる。つまり、人体を圧迫することなく保護できる。使用者への圧迫感や違和感を軽減できる。
【図面の簡単な説明】
【００３８】
【図１】本発明のプロテクターの第１の実施の形態を示す正面図である。
【図２】第１の実施の形態の背面図である。
【図３】図１のＺ−Ｚ断面側面図である。
【図４】第１の実施の形態の装着状態を説明する要部断面側面図である。
【図５】本発明のプロテクターの第２の実施の形態を示す要部拡大正面図である。
【図６】本発明の別の実施の形態を説明する要部拡大正面図である。
【図７】別の実施の形態の要部断面側面図である。
【符号の説明】
【００３９】
１  本体
１ａ  前面保護部
１ｂ  舌片部
２  保護片
２ｃ  下辺
２ｆ  裏面
３  肩パット部材
５  ベルト
20  係止帯体
【図１】
0004734357.tif 000002
【図２】
0004734357.tif 000003
【図３】
0004734357.tif 000004
【図４】
0004734357.tif 000005
【図５】
0004734357.tif 000006
【図６】
0004734357.tif 000007
【図７】
0004734357.tif 000008